(57)【要約】【課題】携帯電話機のカメラ機能を用いて静止画データを撮影し、文字データを加えて送受信することができても、動画を撮影するような感覚で自動的かつ連続的に静止画データを撮影し、それらの静止画データに文字データを加えて、チャット形式で簡単に複数の携帯電話機と情報のやり取りをすることができない。【解決手段】携帯電話機に具備されたカメラ機能、即ち光学的に静止画データを撮影する機能を用いて、自動的かつ連続的に静止画データを撮影することが可能であり、それらの静止画データに文字データを加えて複数の携帯電話機に配信することができるようにする。  また、該静止画データや該文字データに対する、受信者からの返信文字データをチャット形式により、繰り返し送受信することができるようにする。【選択図】図１
2010021780.tif 000002
【特許請求の範囲】
【請求項１】
ネットワークに接続可能で、
具備されたカメラ機能により、連続的に静止画データを撮影することが可能であり、
該静止画データと入力した文字データとを送信可能な第一の携帯電話機と、
前記第一の携帯電話機から送信された該静止画データと該文字データとを受信可能であり、かつ、入力した返信文字データを送信可能な複数で構成される第二の携帯電話機と、
前記第一の携帯電話機と前記第二の携帯電話機とを、前記ネットワークを介して接続し、送受信の制御を行うことが可能なサーバコンピュータと、
からなる連続静止画配信システムであって、
前記第一の携帯電話機は、
サーバコンピュータにアクセスする手段と、
ＩＤやパスワードを入力する手段と、
配信先となる複数の前記第二の携帯電話機を指定する手段と、
具備されたカメラ機能により、自動的かつ連続的に静止画データを撮影する手段と、
該静止画データに紐付けられるメッセージである文字データを入力する手段と、
配信先として指定された複数の前記第二の携帯電話機に対し、該静止画データと該文字データとを送信する手段と、
前記第二の携帯電話機から送信される返信文字データを受信する手段と、
それらの送受信を、前記ネットワークの接続を保持したまま、繰り返し行う手段と、
を具備することを特徴とする連続静止画配信システム。
【請求項２】
ネットワークに接続可能で、
具備されたカメラ機能により、連続的に静止画データを撮影することが可能であり、
該静止画データと入力した文字データとを送信可能な第一の携帯電話機と、
前記第一の携帯電話機から送信された該静止画データと該文字データとを受信可能であり、かつ、入力した返信文字データを送信可能な複数で構成される第二の携帯電話機と、
前記第一の携帯電話機と前記第二の携帯電話機とを、前記ネットワークを介して接続し、送受信の制御を行うことが可能なサーバコンピュータと、
からなる連続静止画配信システムであって、
前記第二の携帯電話機は、
前記第一の携帯電話機から前記ネットワークを介して送信されてきた情報に基づき、サーバコンピュータにアクセスする手段と、
ＩＤやパスワードを入力する手段と、
前記第一の携帯電話機から送信された該静止画データや該文字データを受信する手段と、
前記受信手段により、受信した該静止画データや該文字データに対し、返信文字データを入力して送信する手段と、
それらの送受信を、前記ネットワークの接続を保持したまま、繰り返し行う手段と、
を具備することを特徴とする連続静止画配信システム。
【請求項３】
ネットワークに接続可能で、
具備されたカメラ機能により、連続的に静止画データを撮影することが可能であり、
該静止画データと入力した文字データとを送信可能な第一の携帯電話機と、
前記第一の携帯電話機から送信された該静止画データと該文字データとを受信可能であり、かつ、入力した返信文字データを送信可能な複数で構成される第二の携帯電話機と、
前記第一の携帯電話機と前記第二の携帯電話機とを、前記ネットワークを介して接続し、送受信の制御を行うことが可能なサーバコンピュータと、
からなる連続静止画配信システムであって、
前記サーバコンピュータは、
前記第一の携帯電話機の配信先となる複数の前記第二の携帯電話機の情報や、その間でやり取りされる各種データを管理するデータベースを備え、
前記第一の携帯電話機と、前記第二の携帯電話機との前記ネットワークを制御する手段と、
を具備することを特徴とする連続静止画配信システム。
【発明の詳細な説明】
【技術分野】
【０００１】
本発明は、携帯電話機に具備されたカメラ機能、即ち光学的に静止画データを撮影する機能を用いて、自動的かつ連続的に静止画データを撮影することが可能であり、それらの静止画データに文字データを加えて複数の携帯電話機に配信することができ、かつ、該静止画データや該文字データに対する、受信者からの返信文字データをチャット形式により、繰り返し送受信することができる連続静止画配信システムに関する。
【背景技術】
【０００２】
従来、携帯電話機のカメラ機能を用いて撮影した静止画データを、簡単に複数の携帯電話機に対して送信したいという要望があった。
【０００３】
そこで、携帯電話機のカメラ機能を用いて撮影された静止画データや文字データを、チャット機能を用いて、他の携帯電話機間で送受信できようにした携帯電話システムが提案されている（例えば、特許文献１参照）。
【０００４】
【特許文献１】特許公開２００４−７２６５２公報
【発明の開示】
【発明が解決しようとする課題】
【０００５】
しかしながら、特許文献１にあっては、携帯電話機のカメラ機能を用いて静止画データを撮影し、文字データを加えて送受信することができても、動画を撮影するような感覚で自動的かつ連続的に静止画データを撮影し、それらの静止画データに文字データを加えて、チャット形式で簡単に複数の携帯電話機と情報のやり取りをすることができないという問題があった。
【０００６】
本発明は、このような問題点に着目してなされたもので、予め配信先となる複数の携帯電話機を指定し、それらの携帯電話機に対して、簡単な操作で動画に近い臨場効果を得ることができる静止画データを自動的かつ連続的に撮影することができ、更にはそれらの静止画データに対するコメントを文字データとして送信受信できる連続静止画配信システムを提供することを目的とする。
【課題を解決するための手段】
【０００７】
上記課題を解決するために、本発明の請求項１に記載の連続静止画配信システムは、
ネットワークに接続可能で、
具備されたカメラ機能により、連続的に静止画データを撮影することが可能であり、
該静止画データと入力した文字データとを送信可能な第一の携帯電話機と、
前記第一の携帯電話機から送信された該静止画データと該文字データとを受信可能であり、かつ、入力した返信文字データを送信可能な複数で構成される第二の携帯電話機と、
前記第一の携帯電話機と前記第二の携帯電話機とを、前記ネットワークを介して接続し、送受信の制御を行うことが可能なサーバコンピュータと、
からなる連続静止画配信システムであって、
前記第一の携帯電話機は、
サーバコンピュータにアクセスする手段と、
ＩＤやパスワードを入力する手段と、
配信先となる複数の前記第二の携帯電話機を指定する手段と、
具備されたカメラ機能により、自動的かつ連続的に静止画データを撮影する手段と、
該静止画データに紐付けられるメッセージである文字データを入力する手段と、
配信先として指定された複数の前記第二の携帯電話機に対し、該静止画データと該文字データとを送信する手段と、
前記第二の携帯電話機から送信される返信文字データを受信する手段と、
それらの送受信を、前記ネットワークの接続を保持したまま、繰り返し行う手段と、
を具備することを特徴としている。
この特徴によれば、
前記第一の携帯電話機は、ネットワークを介してサーバコンピュータにアクセスして、
ＩＤやパスワードを入力することによりログインすることができる。
また、配信先となる複数の前記第二の携帯電話機を指定したうえで、プログラムを起動し、動画を撮影するような使用形態で自動的かつ連続的に静止画データを撮影することができ、更には、文字データによるコメントを加えてサーバコンピュータにＵＰすることができる。
これにより、前記第一の携帯電話機は、複数の前記第二の携帯電話機に対し、連続的な静止画データや文字データを送受信可能な連続静止画配信システムを提供することができる。
【０００８】
本発明の請求項２に記載の連続静止画配信システムは、
ネットワークに接続可能で、
具備されたカメラ機能により、連続的に静止画データを撮影することが可能であり、
該静止画データと入力した文字データとを送信可能な第一の携帯電話機と、
前記第一の携帯電話機から送信された該静止画データと該文字データとを受信可能であり、かつ、入力した返信文字データを送信可能な複数で構成される第二の携帯電話機と、
前記第一の携帯電話機と前記第二の携帯電話機とを、前記ネットワークを介して接続し、送受信の制御を行うことが可能なサーバコンピュータと、
からなる連続静止画配信システムであって、
前記第二の携帯電話機は、
前記第一の携帯電話機から前記ネットワークを介して送信されてきた情報に基づき、サーバコンピュータにアクセスする手段と、
ＩＤやパスワードを入力する手段と、
前記第一の携帯電話機から送信された該静止画データや該文字データを受信する手段と、
前記受信手段により、受信した該静止画データや該文字データに対し、返信文字データを入力して送信する手段と、
それらの送受信を、前記ネットワークの接続を保持したまま、繰り返し行う手段と、
を具備することを特徴としている。
この特徴によれば、
前記第二の携帯電話機は、前記第一の携帯電話機から送信されてきた該静止画データや該文字データをサーバコンピュータにアクセスすることで受信することができ、更には、それらの該静止画データや該文字データを確認したうえで、任意のコメントを返信文字データとして入力し、サーバコンピュータを介して、第一の携帯電話機や、その他の第二の携帯電話機に対して送信することができる。
【０００９】
本発明の請求項３に記載の連続静止画配信システムは、
ネットワークに接続可能で、
具備されたカメラ機能により、連続的に静止画データを撮影することが可能であり、
該静止画データと入力した文字データとを送信可能な第一の携帯電話機と、
前記第一の携帯電話機から送信された該静止画データと該文字データとを受信可能であり、かつ、入力した返信文字データを送信可能な複数で構成される第二の携帯電話機と、
前記第一の携帯電話機と前記第二の携帯電話機とを、前記ネットワークを介して接続し、送受信の制御を行うことが可能なサーバコンピュータと、
からなる連続静止画配信システムであって、
前記サーバコンピュータは、
前記第一の携帯電話機の配信先となる複数の前記第二の携帯電話機の情報や、その間でやり取りされる各種データを管理するデータベースを備え、
前記第一の携帯電話機と、前記第二の携帯電話機との前記ネットワークを制御する手段と、
を具備することを特徴としている。
この特徴によれば、
前記サーバコンピュータは、前記第一の携帯電話機と前記第二の携帯電話機との間でやり取りされる静止画データや文字データ、返信文字データの管理や送受信の制御を行うことができる。
【発明を実施するための最良の形態】
【００１０】
本発明の実施例を以下に説明する。
【実施例】
【００１１】
本発明の実施例を図面に基づいて説明すると、まず図１は、本発明の実施例における連続静止画配信システムの全体像を示す図である。
【００１２】
連続静止画配信システムは、ネットワーク２に接続された静止画データや文字データを送信する第一の携帯電話機１と、それらのデータを受信して返信文字メールを送信する複数の第二の携帯電話機３と、データベース５を具備して、第一の携帯電話機１と第二の携帯電話機３とを制御するサーバコンピュータ４と、から構成される。
【００１３】
図２は、第一の携帯電話機１の具体的な動作の一例を表示画面の移り変わり状況として表した図であり、図４は、その処理フローを表した図である。
【００１４】
第一の携帯電話機１の使用者は、例えば図２の（a）に示すように、携帯電話機に具備された入力ボタンを用いてＩＤやパスワード（ＰＷ）を入力し、ネットワーク２を介してサーバコンピュータ４にアクセスする。（Ｓ１０１）
【００１５】
次に第一の携帯電話機１の使用者は、例えば図２の（ｂ）に示すように、表示画面に表れた「配信」「受信」「設定」の中から、「配信」を選択する。  
【００１６】
そこで、第一の携帯電話機１の使用者は、例えば図２の（ｃ）に示すように、「リストから選択」を選択し、予めリストに記載されたユーザー情報の中から、配信先となる第二の携帯電話機３を選択する。尚、この際、配信先となる第二の携帯電話機３は複数であってよい。（Ｓ１０２）
【００１７】
また、予めリストに記載されたユーザー情報の中に所望のユーザー情報がない場合、第一の携帯電話機１の使用者は、図２の（ｃ）に示す「入力追加」を選択し、入力ボタンを用いて、新たな配信先となる第二の携帯電話機３の情報を追加してもよい。
【００１８】
第一の携帯電話機１の使用者は、配信先となる第二の携帯電話機３を指定したのち、図２の（ｃ）に示す「配信」を選択し、次に図２の（ｄ）に示す「撮影開始」を選択して、次に図２の（e）に示す連続静止画の撮影モードに入る。（Ｓ１０３）
【００１９】
連続静止画の撮影モードに入った第一の携帯電話機１は、表示画面に現れた画面を見ながら、被写体となる対象を、動画を撮影するような感覚で映すが、その際、予め定めた所定のタイミングで、連続的に静止画データを撮影する。
【００２０】
そこで、連続静止画の撮影モードに入った第一の携帯電話機１は、表示画面に現れた画面を見ながら、被写体に対し、動画を撮影するような感覚で映すようにし、その際、具備されたカメラ機能が予め定めた所定のタイミングで静止画データを撮影する。（Ｓ１０４）
【００２１】
前記所定のタイミングで静止画データを撮影した際、当該静止画データを第一の携帯電話機１は自動的にサーバコンピュータ４に対して送信する。（Ｓ１０５）
【００２２】
次に、第一の携帯電話機１は、当該静止画データに対するコメントである文字データを入力し、サーバコンピュータ４に対して送信する。（Ｓ１０６）
【００２３】
更に、第一の携帯電話機１は、配信先となる第二の携帯電話機３からの返信文字データがあればそれを受信する。（Ｓ１０７）
【００２４】
第一の携帯電話機１は、前述のように、静止画データを撮影する（Ｓ１０４）、静止画データを送信する（Ｓ１０５）、文字データを送信する（Ｓ１０６）、返信文字データを受信するという一連の動作を、予め定めた所定のタイミングで、撮影を終了するまでの間、繰り返し行う。
【００２５】
図３は、第二の携帯電話機３の具体的な動作の一例を表示画面の移り変わり状況として表した図であり、図５は、その処理フローを表した図である。
【００２６】
第二の携帯電話機３の使用者は、例えば図３の（ｆ）に示すように、携帯電話機に具備された入力ボタンを用いてＩＤやパスワード（ＰＷ）を入力し、ネットワーク２を介してサーバコンピュータ４にアクセスする。（Ｓ３０１）
【００２７】
次に第二の携帯電話機３の使用者は、例えば図３の（ｇ）に示すように、表示画面に表れた「配信」「受信」「設定」の中から、「受信」を選択する。  
【００２８】
そこで、第二の携帯電話機３の使用者は、例えば図３の（ｈ）に示すように、第一の携帯電話機１から第二の携帯電話機３宛てに送信があることを確認し、静止画データや文字データを受信する。（Ｓ３０３）
【００２９】
その際、第二の携帯電話機３の使用者は、第一の携帯電話機１に対して、返信文字データを送信し（Ｓ３０４）、その返信文字データに対して、第一の携帯電話機１から更なる静止画データや文字データが送信されてきた場合は、それらを受信する。（Ｓ３０５）
【００３０】
第二の携帯電話機３は、前述のように、静止画データや文字データを受信する（Ｓ３０３）、返信文字データを送信する（Ｓ３０４）、更なる静止画データや文字データが送信されてきた場合は、それらを受信する（Ｓ３０５）という一連の動作を、予め定めた所定のタイミングで、受信側の機能を終了するまでの間、繰り返し行う。
【００３１】
本実施例によれば、第一の携帯電話機１の使用者は、予め配信先となる複数の携帯電話機を指定し、それらの携帯電話機に対して、簡単な操作で動画に近い臨場効果を得ることができる静止画データを自動的かつ連続的に撮影することができる。
【００３２】
また、第一の携帯電話機１の使用者は、簡単な操作で前述の静止画データや文字データを第二の携帯電話機３に対し、繰り返し送信することができる。
【００３３】
更に、本実施例によれば、第二の携帯電話機３の使用者は、簡単な操作で第一の携帯電話機１から送信された静止画データや文字データを繰り返し受信することができる。      
【００３４】
また、第二の携帯電話機３の使用者は、簡単な操作で第一の携帯電話機１やその他の第二の携帯電話機３に対し、返信用の文字データを繰り返し送信することができる。
【図面の簡単な説明】
【００３５】
【図１】本発明の実施例における連続静止画配信システムの全体像を示す図である。
【図２】第一の携帯電話機の具体的な動作の一例を表示画面の移り変わり状況とし            て表した図である。
【図３】第二の携帯電話機の具体的な動作の一例を表示画面の移り変わり状況とし            て表した図である。
【図４】第一の携帯電話機の具体的な処理フローを表した図である。
【図５】第二の携帯電話機の具体的な処理フローを表した図である。
【符号の説明】
【００３６】
１    第一の携帯電話機
２    ネットワーク
３    第二の携帯電話機
４    サーバコンピュータ
５    データベース
【図１】
2010021780.tif 000003
【図２】
2010021780.tif 000004
【図３】
2010021780.tif 000005
【図４】
2010021780.tif 000006
【図５】
2010021780.tif 000007